(57)【要約】【課題】  防水防塵パッキングをボックス、カバー、ボタンおよび可動接片操作部で狭持することにより高い防水防塵性能を発揮する揺動スイッチを提供する。【解決手段】  上側ボックス２U の水平方向横断面形状寸法にほぼ匹敵する形状寸法に形成される水平封止部６１と水平封止部６１の中心部から一体に隆起形成された筒状封止部６２とより成り、筒状封止部６２の頂部には中心部が開口６２２して開口周縁が鍔部６２３を形成している有底円筒６２１を有する防水防塵パッキング６を具備し、ボタン１と可動接片操作部１２の嵌合部１２３とにより開口６２２を介して防水防塵パッキング６の鍔部６２３を挟持すると共に、肉厚開口部２２の圧し付け段部２２１とカバー７の平坦本体部７０とにより防水防塵パッキング６の水平封止部６１を挟持した揺動スイッチ。【選択図】  図１６
2005222769.tif 000002
【特許請求の範囲】
【請求項１】
操作部先端を介して可動接片を切り替える可動接片操作部を具備し、
可動接片操作部に嵌合結合する結合部を下面に有するボタンを具備し、
肉厚開口部に圧し付け段部が形成されると共に相互係合凹部を側壁外側下方に形成される上側ボックスを具備し、
互いに対向する一方の側壁に立ち下がり係合片係合凹部が形成されると共に互いに対向する他方の側壁外側下方に相互結合突起を形成し、上側ボックスに嵌合固定される下側ボックスを具備し、
上側ボックスの水平方向横断面形状寸法にほぼ匹敵して下側ボックスの開口を覆う形状寸法に形成される平坦本体部を有し、平坦本体部の対向する２辺には立ち下がり係合片および立ち上がり部が形成されると共にその中心部には可動接片操作部を挿通する挿通開口が開口される隆起筒部が形成されるカバーを具備し、
上側ボックスの水平方向横断面形状寸法にほぼ匹敵する形状寸法に形成される水平封止部と水平封止部の中心部から一体に隆起形成された筒状封止部とより成り、筒状封止部の頂部には中心部が開口して開口周縁が鍔部を形成している有底円筒を有する防水防塵パッキングを具備し、
ボタンと可動接片操作部の嵌合部とにより開口を介して防水防塵パッキングの鍔部を挟持すると共に、肉厚開口部の圧し付け段部とカバーの平坦本体部とにより防水防塵パッキングの水平封止部を挟持したことを特徴とする揺動スイッチ。
【発明の詳細な説明】
【技術分野】
【０００１】
この発明は、揺動スイッチに関し、特に、防水防塵パッキングをボックス、カバー、ボタンおよび可動接片操作部で狭持することにより高い防水防塵性能を発揮する揺動スイッチに関する。
【背景技術】
【０００２】
当該特許出願人の出願に関わる揺動スイッチの先行例を説明する。
図１はボタンを説明する図である。図１（ａ）はボタンを上から視たところを示す図、図１（ｂ）は図１（ａ）のボタンを揺動軸方向から視たところを示す図、図１（ｃ）は図１（ａ）のボタンを揺動軸方向と直交する方向から視たところを示す図である。図２は図１の続きであり、図２（ｄ）はボタンを下から視たところを示す図、図２（ｅ）は図２（ｄ）の線ｅ−ｅ’に沿った断面を示す図である。
【０００３】
図１および図２において、１はボタン全体を示す。ボタン１の互に対向する両側壁外面には一直線上に整列して１対の支軸部１１が外方に突出形成されている。そして、これら両側壁内面の支軸部１１近傍には可動接片操作部１２が内方に突出、垂下形成されている。１２１は揺動スイッチ組み立て時にボタン１の組み込みに必要とされる分離領域である。左右の可動接片操作部１２は中間においてボタン１の頂部下面から垂下形成される連結壁１３を介して相互に接続している。１４はボタン１の下端周縁部である。
【０００４】
図３はスイッチのボックスを説明する図である。図３（ａ）はボックスを上から視たところを示す図、図３（ｂ）はボックスを側方から視たところを示す図、図３（ｃ）はボックスの側方を図３（ｂ）と直角の方から視たところを示す図、図３（ｄ）はボックスを下から視たところを示す図である。図４は図３の続きを示す。図４（ｅ）はボックスを上から視た図、図４（ｆ）は図４（ｅ）における線ｆ−ｆ’に沿った上下方向断面を示す図、図４（ｇ）は図４（ｅ）における線ｇ−ｇ’に沿った上下方向断面を示す図、図４（ｈ）は図４（ｅ）における線ｈ−ｈ’に沿った上下方向断面を示す図である。
【０００５】
図３および図４において、２はスイッチのボックス全体を示す。２１はボックス２の互いに対向する一方の側壁の間に亘って他方の側壁に平行に形成されたボタン係合壁であり、２１１はボタン係合壁の上端中間部に形成された可動接片操作部係合部を示す。２１２はボタン係合壁２１の上端左右部に形成されたボタン係止部を示す。２２はボックス２の上枠部、２３は互いに対向する一方の側壁外側上部に形成されたバネ取り付け部、２４はバネ取り付け部２３に係止される取り付けバネ、２５は対向する側壁に形成される１対の軸孔であり、ボタン１の支軸部１１が嵌挿されてボタン１がボックス２に軸支されるに到る。２１２はボックス２の底壁に形成される突条である。２７は底壁に形成される固定接片挿通スリット、２８は同様に底壁に形成される可動接片支持部材挿通スリットである。図３（ｄ）において、固定接片挿通スリット２７の外側の両側部には後で説明される固定接片４の固定接片カシメ付け片４２１がカシメつけられる拡開段部２７１が形成されている。同様に、２８の外側の両側部には後で説明される可動接片支持部材５の可動接片支持部材カシメ付け片５１１がカシメつけられる拡開段部２８１が形成されている。
【０００６】
図５は可動接片を説明する図である。図５（ａ）は可動接片を正面から視た図であり、図５（ｂ）は可動接片を側方から視た図であり、図５（ｃ）は可動接片を後方から視た図であり、図５（ｄ）は図（ｂ）を下から視た図である。
図５において、３は可動接片の全体を示す。可動接片３は燐青銅の如きバネ性を有するバネ材の細長片をＵ字状に折り返して形成される。３１は可動接点である。３２は先端部に可動接点３１を取り付け固定した可動接点担持片である。可動接点担持片３２は中間部の両側部に切り欠き３２１が形成されている。３３は可動接点担持片３２からＵ字状に折り返し形成された操作部案内片である。操作部案内片３３は変曲部３３１において、外向きに極く僅かに屈曲せしめられている。
【０００７】
図６は固定接片を説明する図であり、図６（ａ）は固定接片を上から視た図、図６（ｂ）は固定接片を側方から視た図、そして図６（ｃ）は図６（ｂ）における線ｃ−ｃ’に沿った断面を示す図である。
図６において、４は固定接片の全体を示す。固定接片４は厚さを厚くして剛性の大なる金属細長片をコ字状に屈曲して、タブ端子４２、タブ端子４２から屈曲形成された固定接点固定部４３、固定接点固定部４３から屈曲形成された垂下部片４４より成る。４１により示される固定接点は固定接点固定部４３に取り付け固定されている。タブ端子４２にはその中間部の僅か上方の左右両縁に固定接片カシメ付け片４２１が突出形成されている。
【０００８】
図７は可動接片支持部材を説明する図であり、図７（ａ）は可動接片支持部材を上から視た図、図７（ｂ）は可動接片支持部材を側方から視た図、図７（ｃ）は図７（ｂ）における線ｃ−ｃ’に沿った断面を示す図である。
図７において、５は可動接片支持部材の全体を示す。可動接片支持部材５も、厚さを厚くして剛性の大なる金属細長片を原材料とし、これに金属加工を施して形成されたタブ端子５１、タブ端子５１から屈曲形成された可動接片支点本体５２、可動接片支点本体５２からタブ端子５１と同じ向きに屈曲形成された垂下部片５３より成る。タブ端子５１にはその中間部の僅か上方の左右両縁に可動接片支持部材カシメ付け片５１１が突出形成されている。可動接片支点本体５２はその一方の端部においてタブ端子５１と逆向きに屈曲形成された支持部５２１を構成している。支持部５２１の上端に水平の切り欠き５２０を形成し、可動接片３が載置された暁において可動接点３１が突出する側に傾斜面５２２を削除形成して可動接片支持突条部５２３を形成すると共に左右端部に案内突起５２４を残存形成する。
【０００９】
揺動スイッチの組み立て順序を簡単に説明する。揺動スイッチのボックス２の底壁に形成される固定接片挿通スリット２７に固定接片４のタブ端子４２を挿通して固定接片カシメ付け片４２１を拡開段部２７１にカシメ付けると共に、同様に底壁に形成される可動接片支持部材挿通スリット２８に可動接片支持部材５のタブ端子５１を挿通して可動接片支持部材カシメ付け片５１１を拡開段部２８１にカシメ付ける。以上の通りにして、固定接片４および可動接片支持部材５をボックス２に対して簡単容易、正確安定に取り付け組み立てることができる。次いで、ボックス２に取り付けられた可動接片支持部材５の可動接片支点本体５２に屈曲形成される支持部５２１の可動接片支持突条部５２３に可動接片３の可動接点担持片３２の両側部に形成される切り欠き３２１を左右両案内突起５２４を介して可動接片３を載置し、可動接片３を可動接片支持部材５の可動接片支持突条部５２３に電気機械的に接触せしめる。支持部５２１の上端に水平の切り欠き５２０を形成し、可動接片３が載置された暁において可動接点３１が突出する側に傾斜面５２２を削除形成して可動接片支持突条部５２３を形成することにより傾斜面５２２は可動接片３の下面に対して可動接片３の動作に支障となることはなく急速クリック反転を確保し、接点の解放遮断時に生起するアークを短時間で消弧する。案内突起５２４は上端部に傾斜を付与することにより、可動接片支持突条部５２３に対する可動接片３の組込みを容易にしている。最後に、ボックス２の対向する側壁に形成される１対の軸孔２５にボタン１の支軸部１１を嵌挿し、ボタン１をボックス２に軸支させる。図８および図９は組み立てられた揺動スイッチの動作状態を示す図である。図８（ａ）は揺動軸に直交する方向の縦方向断面を示す図、図８（ｂ）は揺動軸方向に沿った縦方向の断面を可動接片支持部材５側から視た図であり、揺動スイッチのオフ状態を示している。図９は図８の続きであるり、図９（ｃ）は揺動軸方向に沿った縦方向の断面を固定接片４側から視た図、図９（ｄ）は揺動軸に直交する方向の縦方向断面を示す図であり、揺動スイッチのオン状態を示している。      
【００１０】
上述した揺動スイッチは、スイッチのボックス２の内奥には可動接片３、固定接片４、可動接片支持部材５を含むスイッチング部ＳＷを具備すると共に、ボックス２の開口部Ｈには揺動するボタン１を具備している。ここで、ボックス２の上面に形成した開口部Ｈの内奥に、スイッチング部ＳＷとボタン１との間に両者を仕切る防水防塵パッキング６（特許文献１  参照）を介在させ、スイッチング部ＳＷを押圧操作するボタン１の可動接片操作部１２を包囲するカラー６１をこの防水防塵パッキング６に一体形成している。この防水防塵パッキング６には、更に、ボタン係止部２１２に係止するスカート部６２を全周に亘って一体に形成されている。
【００１１】
揺動スイッチは、以上の防水防塵パッキング６により、ボックス２の上面に形成した開口部Ｈを介してボックス２内に水滴或いは塵埃が進入するのを阻止している。
【特許文献１】特開２００１−１９５９５５  公報
【発明の開示】
【発明が解決しようとする課題】
【００１２】
しかし、防水防塵パッキング６のカラー６１と可動接片操作部１２との間の封止、および防水防塵パッキング６のスカート部６２とボタン係止部２１２との間の封止は共に充分になされているとは言い難く、スイッチ動作中にこれらの封止が不完全となって水滴或いは塵埃がこの間を介してスイッチング部ＳＷに進入する恐れが生ずる。
この発明は、防水防塵パッキングをボックス、カバー、ボタンおよび可動接片操作部で狭持することにより高い防水防塵性能を発揮する揺動スイッチを提供するものである。
【課題を解決するための手段】
【００１３】
操作部先端１２５を介して可動接片３を切り替える可動接片操作部１２を具備し、可動接片操作部１２に嵌合結合する結合部１０を下面に有するボタン１を具備し、肉厚開口部２２に圧し付け段部２２１が形成されると共に相互係合凹部２９’を側壁外側下方に形成される上側ボックス２U を具備し、互いに対向する一方の側壁に立ち下がり係合片係合凹部２０が形成されると共に互いに対向する他方の側壁外側下方に相互結合突起２９を形成し、上側ボックス２U に嵌合固定される下側ボックス２L を具備し、上側ボックス２U の水平方向横断面形状寸法にほぼ匹敵して下側ボックス２L の開口を覆う形状寸法に形成される平坦本体部７０を有し、平坦本体部７０の対向する２辺には立ち下がり係合片７２および立ち上がり部７３が形成されると共にその中心部には可動接片操作部１２を挿通する挿通開口７１１が開口される隆起筒部７１が形成されるカバー７を具備し、上側ボックス２Uの水平方向横断面形状寸法にほぼ匹敵する形状寸法に形成される水平封止部６１と水平封止部６１の中心部から一体に隆起形成された筒状封止部６２とより成り、筒状封止部６２の頂部には中心部が開口６２２して開口周縁が鍔部６２３を形成している有底円筒６２１を有する防水防塵パッキング６を具備し、ボタン１と可動接片操作部１２の嵌合部１２３とにより開口６２２を介して防水防塵パッキング６の鍔部６２３を挟持すると共に、肉厚開口部２２の圧し付け段部２２１とカバー７の平坦本体部７０とにより防水防塵パッキング６の水平封止部６１を挟持した揺動スイッチを構成した。
【発明の効果】
【００１４】
この発明は、上側ボックス２Uの水平方向横断面形状寸法にほぼ匹敵して下側ボックス２Lの開口を覆う形状寸法に形成される平坦本体部７０を有し、平坦本体部７０の対向する２辺には立ち下がり係合片７２および立ち上がり部７３が形成されると共にその中心部には可動接片操作部１２を挿通する挿通開口７１１が開口される隆起筒部７１が形成されるカバー７を具備する。更に、上側ボックス２Uの水平方向横断面形状寸法にほぼ匹敵する形状寸法に形成される水平封止部６１と水平封止部６１の中心部から一体に隆起形成された筒状封止部６２とより成り、筒状封止部６２の頂部には中心部が開口６２２に開口周縁が鍔部６２３を形成している有底円筒６２１を有する防水防塵パッキング６を具備している。
【００１５】
ここで、ボタン１と可動接片操作部１２の嵌合部１２３とにより開口６２２を介して防水防塵パッキング６の鍔部６２３を挟持すると共に肉厚開口部２２の圧し付け段部２２１とカバー７の平坦本体部７０とにより防水防塵パッキング６の水平封止部６１を挟持することにより、下側ボックス２Lの開口は防水防塵パッキング６により封止されて下側ボックス２Lと上側ボックス２Uとの間は遮断される上に、防水防塵パッキング６とその外側との間も遮断される。従って、上側ボックス２Uの肉厚開口部２２およびボタン１近傍からボックス２に進入する塵埃、水滴は、防水防塵パッキング６に阻止されて、スイッチング部ＳＷが収容される下側ボックス２Lに進入する恐れはなくなる。
【発明を実施するための最良の形態】
【００１６】
発明を実施するための最良の形態を図の実施例を参照して説明する。なお、実施例において、先行例における部材と共通する部材には共通する参照符合を付与している。
図１０はボタンを説明する図である。図１０（ａ）はボタンを下から視たところを示す図、図１０（ｂ）はボタンを側方から視たところを示す図、図１０（ｃ）は図１０（ａ）における線ｃ−ｃ’に沿った断面を示す図、図２（ｄ）は図２（ａ）における線ｄ−ｄ’に沿った断面を示す図である。
図１０において、１はボタン全体を示す。ボタン１の下面には、後で説明される結合部嵌合孔１２４に嵌合結合する結合部１０が一体に垂下形成されている。ボタン１の側部には、後で説明される可動接片操作部１２が嵌入する軸受け１１’が形成されている。
【００１７】
図１１は可動接片操作部を説明する図である。可動接片操作部１２は、ボタン１の結合部１０が嵌合する嵌合部１２３と、この嵌合部１２３から延伸して一体に形成された１対の操作部先端１２５とより成る。嵌合部１２３には結合部嵌合孔１２４が形成されている。可動接片操作部１２は、ボタン１を押圧操作することにより、操作部先端１２５を介して可動接片３を切り替える部材である。
図１２および図１３はスイッチのボックスを説明する図であり、図１２はその内の上側ボックスを説明する図、図１３はその内の下側ボックスを説明する図である。
【００１８】
図１２（ａ）は上側ボックスを上から視たところを示す図、図１２（ｂ）は上側ボックスを側方から視たところを示す図、図１２（ｃ）は上側ボックスを下から視たところを示す図、図１２（ｄ）は図１２（ａ）における線ｄ−ｄ’に沿った断面を示す図、図１２（ｅ）は図１２（ａ）における線ｅ−ｅ’に沿った断面を示す図である。
図１２において、２U は上側ボックス全体を示す。２２は上側ボックス２U の肉厚開口部を示す。肉厚開口部２２の下端部には圧し付け段部２２１および立ち上がり部嵌合溝２２２が形成されている。２４は対向する２側壁に形成された取り付けバネである。２５’は肉厚開口部内面上部に対向して形成されたボタン位置決め軸部である。段部は相互係合凹部であり、後で説明される相互結合突起２９を嵌合せしめるところである。
【００１９】
図１３（ａ）は下側ボックスを上から視たところを示す図、図１３（ｂ）は下側ボックスを下から視たところを示す図、図１３（ｃ）は図１３（ａ）における線ｃ−ｃ’に沿った断面を示す図、図１３（ｄ）は図１３（ａ）における線ｄ−ｄ’に沿った断面を示す図である。
図１３において、２L は下側ボックス全体を示す。２０は上側ボックス２L の互いに対向する一方の側壁に形成される立ち下がり係合片係合凹部である。２１’は上側ボックス２L の互いに対向する一方の側壁の間に亘って互いに対向する他方の側壁に平行に形成された操作部係合壁である。２６は下側ボックス２L の底壁下面に形成される隔壁である。２７は底壁に形成される固定接片挿通スリット、２８は同様に底壁に形成される可動接片支持部材挿通スリットである。２９は相互結合突起であり、上側ボックス２U と下側ボックス２L とを組み合わせて結合するに際して、上側ボックス２U の側壁に形成される相互係合凹部段部に嵌合結合する部材である。
【００２０】
図１４はカバーを説明する図である。図１４において、７はカバー全体を示す参照符合である。カバー７は平坦本体部７０を有する。平坦本体部７０の形状寸法は、上側ボックス２U の水平方向横断面形状寸法にほぼ匹敵して、下側ボックス２L の開口を覆う形状寸法に形成される。平坦本体部７０の対向する２辺には、立ち下がり係合片７２が形成されると共に、立ち上がり部７３が形成されている。平坦本体部７０は、更に、その中心部に可動接片操作部１２を挿通する隆起筒部７１が形成されている。７１１は隆起筒部７１の上端部に形成される挿通開口である。
【００２１】
図１５は防水防塵パッキングを説明する図である。図１５において、６は防水防塵パッキング全体を示す参照符合である。防水防塵パッキング６は、水平封止部６１と、水平封止部６１の中心部から一体に隆起形成された筒状封止部６２より成る。筒状封止部６２の頂部には底を有する有底円筒６２１が形成され、有底円筒６２１の底はその中心部が開口６２２して開口周縁は鍔部６２３を形成している。有底円筒６２１の内径は可動接片操作部１２の嵌合部１２３上端の外径にほぼ等しく形成される。
揺動スイッチの組み立て順序を簡単に説明する。図１６および図１７は組み立てられた揺動スイッチの動作状態を示す図である。図１７は図１６の続きである。
【００２２】
（工程１）  下側ボックス２L の底壁に対して固定接片４および可動接片支持部材５を取り付け、可動接片支持部材５に対して可動接片３を揺動状態に組み付けてスイッチング部ＳＷを構成する。
（工程２）  下側ボックス２L の開口端縁にカバー７を係合固定する。これに際して、下側ボックス２L の立ち下がり係合片係合凹部２０対して、カバー７の平坦本体部７０の対向する２辺に形成される立ち下がり係合片７２を係合する。
（工程３）  防水防塵パッキング６の有底円筒６２１の開口６２２に対してボタン１の結合部１０を挿通した状態で、この結合部１０を可動接片操作部１２の嵌合部１２３の結合部嵌合孔１２４に圧入固定することにより、ボタン１と防水防塵パッキング６と可動接片操作部１２の３者を相互に結合一体化する。この状態で、６２３はボタン１の結合部１０の基部と有底円筒６２１の開口周縁の鍔部６２３とにより狭持される。
【００２３】
（工程４）  工程３において結合一体化された状態のボタン１と防水防塵パッキング６と可動接片操作部１２の３者の可動接片操作部１２を、カバー７の隆起筒部７１の上端部に形成される挿通開口７１１を介して挿通してカバー７の隆起筒部７１内に進入せしめる。これに際して、防水防塵パッキング６の水平封止部６１の長辺、短辺をカバー７の平坦本体部７０の長辺、短辺に整列した状態にして、防水防塵パッキング６をカバー７に重ね合わせる。
（工程５）  上側ボックス２U を下側ボックス２L に嵌合した状態で圧し下げ、相互係合凹部段部に相互結合突起２９を係合せしめてボックス２を構成する。この時、カバー７の立ち上がり部７３は立ち上がり部嵌合溝２２２に嵌合し、圧し付け段部２２１は防水防塵パッキング６の水平封止部６１に係合してこれをカバー７の平坦本体部７０に圧し付け挟持した状態が実現する。
【図面の簡単な説明】
【００２４】
【図１】ボタンを説明する図。
【図２】図１の続き。
【図３】ボックスを説明する図。
【図４】図３の続き。
【図５】可動接片を説明する図。
【図６】固定接片を説明する図。
【図７】可動接片支持部材を説明する図。
【図８】揺動スイッチの動作を説明する図。
【図９】図８の続き。
【図１０】ボタンの実施例を説明する図。
【図１１】可動接片操作部を説明する図。
【図１２】上側ボックスを説明する図。
【図１３】下側ボックスを説明する図。
【図１４】カバーを説明する図。
【図１５】防水防塵パッキングを説明する図。
【図１６】組み立てられた揺動スイッチの動作状態を示す図。
【図１７】図１７は図１６の続き。
【符号の説明】
【００２５】
１  ボタン                  １０  結合部
１１’軸受け                      １２  可動接片操作部
１２３  嵌合部                    １２４  結合部嵌合孔
１２５  操作部先端                    ２L  下側ボックス
２U  上側ボックス                  ２０  立ち下がり係合片係合凹部
２１’  操作部係合壁                ２２  肉厚開口部
２２１  圧し付け段部                ２２２  立ち上がり部嵌合溝
２４  取り付けバネ                  ２５’  ボタン位置決め軸部
２６  隔壁                          ２７  固定接片挿通スリット
２８  可動接片支持部材挿通スリット  ２９  相互結合突起
２９’相互係合凹部                    ３  可動接片
４  固定接片                        ５  可動接片支持部材
６  防水防塵パッキング            ６１  水平封止部
６２  筒状封止部                  ６２１  有底円筒
６２２  開口                        ６２３  鍔部
７  カバー                        ７０  平坦本体部
７１  隆起筒部                    ７１１  挿通開口
７２  立ち下がり係合片              ７３  立ち上がり部
ＳＷ  スイッチング部
【図１】
2005222769.tif 000003
【図２】
2005222769.tif 000004
【図３】
2005222769.tif 000005
【図４】
2005222769.tif 000006
【図５】
2005222769.tif 000007
【図６】
2005222769.tif 000008
【図７】
2005222769.tif 000009
【図８】
2005222769.tif 000010
【図９】
2005222769.tif 000011
【図１０】
2005222769.tif 000012
【図１１】
2005222769.tif 000013
【図１２】
2005222769.tif 000014
【図１３】
2005222769.tif 000015
【図１４】
2005222769.tif 000016
【図１５】
2005222769.tif 000017
【図１６】
2005222769.tif 000018
【図１７】
2005222769.tif 000019